(57)【要約】      （修正有）【課題】盾以外の機能を付加し、周辺の美観を損なわない盾を提供する。【解決手段】ポリカーボネートの板材から成る盾本体３の裏面にメインハンドル５と、盾本体３を裏面側に倒れ掛かる斜めに起立させた状態に維持するスタンド９とが固定される。メインハンドル５には、これを把持した手の親指位置に催涙スプレー２の催涙ガス噴射ボタン４が位置するように、メインハンドル５内部に催涙スプレー２を内蔵されている。催涙スプレー２から出た催涙ガスは盾本体３に設けた開口部３ａに案内され、盾１の表面側から噴出する。スタンド９には、警報音を発するアラーム１０が取り付けられている。【選択図】図１
0003163810.tif 000002
【実用新案登録請求の範囲】
【請求項１】
平板状又は３次元曲面形状のポリカーボネートの板材から成る盾本体の裏面にメインハンドルと、盾本体を裏面側に倒れ掛かる斜めに起立させた状態に維持するスタンドとが固定され、かつ前記メインハンドルを把持した手の親指位置に催涙スプレーの催涙ガス噴射ボタン位置するようにメインハンドルに当該催涙スプレーを内蔵し、かつ当該催涙スプレーから出た催涙ガスを盾本体の表面側から噴出させるよう盾本体に設けた開口部に案内するパイプが設けられ、前記スタンドには、さらに警報音を発するアラームが取り付けられていることを特徴としたポリカーボネート製の盾。
【請求項２】
請求項１において、前記盾本体の裏面には、反射性のコーティングが施されたことを特徴するポリカーボネート製の盾。
【請求項３】
請求項１において、前記盾本体の表面側には、前記開口部が開口する周りに当該開口と同じ大きさのビーズが貼り付けられていることを特徴としたポリカーボネート製の盾。
【請求項４】
請求項２において、前記反射膜の一部を除去する加工により文字或いは絵柄が描かれていることを特徴とするポリカーボネート製の盾。
【請求項５】
請求項１において、前記盾本体の表面側には印刷により、文字或いは絵柄が表示されていることを特徴としたポリカーボネート製の盾。
【請求項６】
請求項１において、前記盾本体の表面側に、反射性のコーティングが施され、かつ前記開口部に対応する位置に貫通穴が設けられた表面パネルが固定されていることを特徴としたポリカーボネート製の盾。
【請求項７】
請求項６において、前記表面パネルの貫通穴の周りとその周りに当該貫通穴と同じ大きさのビーズ装飾部材が貼り付けられていることを特徴としたポリカーボネート製の盾。
【請求項８】
請求６において、前記表面パネルには印刷により、文字或いは絵柄が表示されていることを特徴としたポリカーボネート製の盾。
【考案の詳細な説明】
【技術分野】
【０００１】
本考案は、装飾を施したポリカーボネート製の盾に関する。
【背景技術】
【０００２】
ポリカーボネート板は、透明材料でありながらガラス板に比べて軽量であり、成形性に優れているという特徴がある。また、アクリル樹脂の３０倍の耐衝撃強度を有しており、このような特徴を生かして防御盾に利用されている。例えば、特許文献１には、催涙スプレーを装着したポリカーボネート製盾が開示されている。また、特許文献２には、アラームを装着したポリカーボネート製盾が開示されている。さらに、特許文献３には、表面に写真やチラシが挟めるようにして、盾以外の機能を付加した盾が開示されている。また、盾の面を鏡としたものも存在している。
【先行技術文献】
【特許文献】
【０００３】
【特許文献１】特許第３５３５５０１号公報
【特許文献２】特開２００４−２９３８４５号公報
【特許文献３】意匠登録第１２４０４６９号公報
【考案の概要】
【考案が解決しようとする課題】
【０００４】
特許文献３のように、写真立てのように盾以外の機能を付加することにより、防犯としての非日常的にしか利用できなかったものが、日常生活において利用できるものとなり、かつ付加した機能により身近に置いてもその存在感を薄めることができる。しかしながら、付加できる機能は限定的であり、一般の家庭に普通に設置できる程までにその存在感を薄めるには限界があった。
【０００５】
本考案の課題は、盾の機能に日常的な機能を付加することにより、盾を身近におけるものとすることである。
【課題を解決するための手段】
【０００６】
本考案は、平板状又は３次元曲面形状のポリカーボネートの板材から成る盾本体の裏面にメインハンドルと、盾本体を裏面側に倒れ掛かる斜めに起立させて維持するスタンドとが固定され、かつ前記メインハンドルを把持した手の親指位置に催涙スプレーの催涙ガス噴射ボタン位置するようにメインハンドルに当該催涙スプレーを内蔵し、かつ当該催涙スプレーから出た催涙ガスを盾本体の表面側から噴出させるよう盾本体に設けた開口部に案内するパイプが設けられ、前記スタンドには、さらに警報音を発するアラームが取り付けられていることを特徴とする。
【考案の効果】
【０００７】
盾本体を裏面側に倒れ掛かる状態にして維持するスタンドを設け、盾の表面側を通常時において斜め上向き表面面とする。この面にデザインを施すと防御盾に見えなくすることができるため、インテリアとして身近に置いても違和感がなく、また周辺の美観を損なわない。また、スタンド内にアラームを内蔵させたことにより、盾が倒れたときに受ける振動が少なく、誤って警報音が鳴ることを避けることができる。
【図面の簡単な説明】
【０００８】
【図１】盾の裏面側から見た斜視図である。
【図２】盾を正面から見た図である。
【図３】表面パネルを装着した他の実施例の盾を示す斜視図である。
【図４】図３の盾を正面から見た図である。
【考案を実施するための最良の形態】
【０００９】
本考案の実施の形態について図面と共に説明する。
図１に本実施の形態の盾１を裏面側から見た斜視図を示す。
盾１は、盾本体３及び盾本体３の裏面側に配置されるメインハンドル５、サブハンドル７、スタンド９から成っている。盾本体３は、例えば５ｍｍ厚で、手に持っても重量感を感じさせない３０ｃｍ×４０ｃｍ程度の大きさのポリカーボネートを材質とした透明な板材である。盾本体３は、ポリカーボネートの熱成形加工により、平板状或いは３次元曲面形状の形態をとることができる。本実施例においては、長方形の平板である。
【００１０】
表面側は、浸漬法によりシリコーンハードコートが施されており、傷に対する耐性を向上させている。また、裏面側は、反射性のコーティングが施される。すなわち、全面に真空蒸着によりアルミ膜が２００ｎｍ程度の厚みで形成されている。この状態で表面側から見ると、金属光沢を持った鏡面が得られ、姿見としての機能が付加されている。
【００１１】
メインハンドル５は、盾本体３の対角線に沿って配置されており、催涙スプレー２がメインハンドル５の握り部６の位置に内蔵されている。催涙スプレー２はその催涙ガス噴ボタン４が、握り部８の上端の開口から露出しており、握り部８を握った手の親指で押すことができるようになっている。メインハンドル５は、催涙スプレー２のノズルから延長されたパイプ６を盾本体３の角に設けられ盾本体３を貫通する開口部３ａに案内する枠部５ａを有している。噴射されたガスは、パイプ６に導かれ開口部３ａを経由して、盾本体３の前面から外部に向けて噴出する。
【００１２】
サブハンドル７は、盾本体３の一辺に平行して設けられており、メインハンドル５と合せて、盾１を両手で保持可能とする。スタンド９は、盾１を水平面に置いたときに、盾本体３を裏面側に倒れ掛かかるように鋭角θとなる斜めに起立した状態に維持する「足」となるものである。このスタンド９により、表面側は斜め上向きのディスプレイ面となり、この面に裏側にメインハンドル５等が隠れることになる。スタンド９には、アラーム１０が内蔵されており、アラームピン紐１０ａを引いてピンを抜いたり或いはボタン１０ｂを押すことにより、警報音を発生させる。
【００１３】図２は、盾1を正面から見た図である。破線にて示されるメインハンドル５、サブハンドル７、スタンド９を、盾本体３の表面側から埋め込みのボルト１１により固定している。メインハンドル５等は、盾本体３の裏面側のアルミ蒸着により、表面側からは見えないため、催涙スプレーの存在が気づかれにくくなっている。また、スタンド９により、盾１の表面側が斜め上向きとなり、表面にデザインを施すと、この面に装飾を施すと防御盾に見えなくなる。図２Ｂは、赤外線レーザを用いて線ｐを描いて盾本体３の裏面に蒸着されたアルミ膜を除去する加工を行い、文字や絵柄（例においては、（公序良俗違反につき、不掲載）のキャラクターを例として示した）を形成する。表面側からみると、鏡面が削られて文字や絵柄が浮き出ることになる。また、図２Ｃは、盾本体３の表面側の外周部に装飾部材としてビーズ１２を多数貼り付けて、開口部３ａをカムフラージュしたものである。ビーズ１２は、開口部３ａと同様な大きさであり、開口部３ａの周囲周りのみならず、表面側の外周部の全域に貼り付けることにより、カムフラージュ性を高めている。ビーズの色を全体或いは部分的に変えたり、配列を変えたり絵柄やロゴなどのデザイン装飾を施しても良い。さらに、盾本体３の表面側に、文字或いは絵柄を印刷してもよい。【００１４】
このように、盾本体３に対して装飾を施すことにより、外観上に防御盾に見えないデザインとなり、一般家庭に設置しても、来客に対して防御盾であることに気付かせず警戒感や不信感を惹起させることを避けられる。また、インテリアとして身近に置いても、盾以外の機能で利用できるため違和感がなく、周辺の美観を損なわない。
【００１５】
上記実施例においては、メインハンドル５、サブハンドル７、スタンド９を固定するボルト１０が盾本体３の表面側に表れたが、図３の実施例においてはこれを見えなくするために、表面プレート１３を盾本体３に取り付けている。表面プレート１３は、樹脂を素材とする透明なプレートである。盾本体３には、雌ネジ孔１４が設けられており、表面プレート１３の四隅に設けられた貫通穴１５を通してネジ１６を雌ネジ孔１４に螺合させる。表面プレート１３には、盾本体３の開口部３ａの対応した位置に開口部１３ｃが設けられており、表催涙スプレー２からの催涙ガスが噴出できるようになっている。表面プレート１３の裏面１３ａは、全面に真空蒸着によりアルミ膜が２００ｎｍ程度の厚みで形成されており、赤外線レーザを用いて線ｐを描いて蒸着されたアルミ膜を除去して図４Ａで示すように文字や絵柄を描く。また、図４Ｂに示すように表面プレート１３の表面１３ｂの外周部にカラービーズ１２を多数貼り付けて、開口部１３ｃをカムフラージュする。表面プレート１３は、傷に対向するためシリコーンハードコートが施されている。
【００１６】
本実施例によれば、盾本体３の裏面側にメインハンドル５等を取り付けるために利用されるボルト１１を、表面プレート１３により隠すことができるため、先の実施例と比べてよりインテリアとしての装飾性が向上するという効果がある。
【符号の説明】
【００１７】
１  盾                        
２  催涙スプレー
３  盾本体                    
３ａ  開口部
５  メインハンドル                    
６  取付部
７  加圧ガスボンベ            
９  枠体
１０  催涙ガス噴射ノズル      
１１  ノズルガイド
１２  催涙ガス                
【図１】
0003163810.tif 000003
【図２】
0003163810.tif 000004
【図３】
0003163810.tif 000005
【図４】
0003163810.tif 000006
【手続補正書】
【提出日】平成22年8月3日(2010.8.3)
【手続補正１】
【補正対象書類名】実用新案登録請求の範囲
【補正対象項目名】請求項７
【補正方法】変更
【補正の内容】
【請求項７】
請求項６において、前記表面パネルの貫通穴とその周りに装飾部材が貼り付けられていることを特徴としたポリカーボネート製の盾。
【手続補正書】
【提出日】平成22年9月2日(2010.9.2)
【手続補正１】
【補正対象書類名】実用新案登録請求の範囲
【補正対象項目名】請求項８
【補正方法】変更
【補正の内容】
【請求項８】
請求項６において、前記表面パネルには印刷により、文字或いは絵柄が表示されていること
を特徴としたポリカーボネート製の盾。
【手続補正２】
【補正対象書類名】明細書
【補正対象項目名】００１３
【補正方法】変更
【補正の内容】
【００１３】
図２は、盾1を正面から見た図である。破線にて示されるメインハンドル５、サブハンドル７、スタンド９を、盾本体３の表面側から埋め込みのボルト１１により固定している。メインハンドル５等は、盾本体３の裏面側のアルミ蒸着により、表面側からは見えないため、催涙スプレーの存在が気づかれにくくなっている。また、スタンド９により、盾１の表面側が斜め上向きとなり、表面にデザインを施すと、この面に装飾を施すと防御盾に見えなくなる。図２Ｂは、赤外線レーザを用いて線ｐを描いて盾本体３の裏面に蒸着されたアルミ膜を除去する加工を行い、文字や絵柄（例においては、キャラクターを例として示した）を形成する。表面側からみると、鏡面が削られて文字や絵柄が浮き出ることになる。また、図２Ｃは、盾本体３の表面側の外周部に装飾部材としてビーズ１２を多数貼り付けて、開口部３ａをカムフラージュしたものである。ビーズ１２は、開口部３ａと同様な大きさであり、開口部３ａの周囲周りのみならず、表面側の外周部の全域に貼り付けることにより、カムフラージュ性を高めている。ビーズの色を全体或いは部分的に変えたり、配列を変えたり絵柄やロゴなどのデザイン装飾を施しても良い。さらに、盾本体３の表面側に、文字或いは絵柄を印刷してもよい。
【手続補正３】
【補正対象書類名】図面
【補正対象項目名】図２
【補正方法】変更
【補正の内容】
【図２】
0003163810.tif 000007
【手続補正４】
【補正対象書類名】図面
【補正対象項目名】図４
【補正方法】変更
【補正の内容】
【図４】
0003163810.tif 000008